(57)【要約】【課題】送信許可手順が必要な半二重光無線通信システムにおいて、親機が幹線へ送信中でも、子機間通信などの幹線送信不要な送信を行うことを目的とする。【解決手段】親機１の制御手段１３は、親機１が子機３からの送信フレームを幹線２へ送信している間は、光回線のみを用いる子機３からの送信要求に対して光回線を開放し、該開放情報を識別コマンドを有したバースト信号による回線空き信号により子機３に通知し、子機間通信の中継や子機３の光回線リンクテスト信号の中継などを行うように制御する。【選択図】　　　　図２
2004120500.tif 000002
【特許請求の範囲】
【請求項１】
幹線に接続可能であり、且つ、通信端末に接続可能な半二重光無線通信子機との間で半二重光無線通信を行う半二重光無線通信親機であって、
前記半二重光無線通信子機からの受信済みの送信フレームを前記幹線へ送信している間は、前記半二重光無線通信子機との間の光回線を開放することを示すフラッグを含む回線空き信号を前記半二重光無線通信子機に送信し、前記半二重光無線通信子機間通信の中継や前記半二重光無線通信子機の光回線リンクテスト信号の中継を少なくとも行う制御手段を備えることを特徴とする半二重光無線通信親機。
【請求項２】
請求項１に記載の半二重光無線通信親機に対して通信を行う半二重光無線通信子機であって、
前記半二重光無線通信親機から受信した回線空き信号に前記フラッグが含まれる場合に、前記半二重光無線通信親機を介しての少なくとも前記半二重光無線通信子機間の通信や光回線リンクテスト信号の送信に対しては、前記半二重光無線通信親機へ送信申請を行う制御手段を備えることを特徴とする半二重光無線通信子機。
【請求項３】
幹線と、半二重光無線通信親機と、半二重光無線通信子機との間で通信を行う半二重光無線通信システムであって、
前記半二重光無線通信親機は、前記幹線に接続可能であり、且つ、通信端末に接続可能な半二重光無線通信子機との間で半二重光無線通信を行う半二重光無線通信親機であって、前記半二重光無線通信子機からの受信済みの送信フレームを前記幹線へ送信している間は、前記半二重光無線通信子機との間の光回線を開放することを示すフラッグを含む回線空き信号を前記半二重光無線通信子機に送信し、前記半二重光無線通信子機間通信の中継や前記半二重光無線通信子機の光回線リンクテスト信号の中継を少なくとも行う制御手段を備えており、
前記半二重光無線通信子機は、前記半二重光無線通信親機に対して通信を行う半二重光無線通信子機であって、前記半二重光無線通信親機から受信した回線空き信号に前記フラッグが含まれる場合に、前記半二重光無線通信親機を介しての少なくとも前記半二重光無線通信子機間の通信や光回線リンクテスト信号の送信に対しては、前記半二重光無線通信親機へ送信申請を行う制御手段を備えていることを特徴とする半二重光無線通信システム。
【発明の詳細な説明】
【０００１】
【発明の属する技術分野】
本発明は、光無線により信号を広範囲に伝送する拡散型の光無線通信親機と、その拡散型の光無線通信子機と、前記光無線通信親機と前記光無線通信子機との間で光無線により情報を送受信する半二重光無線通信システムとに関するものである。
【０００２】
【従来の技術】
従来、複数のパーソナルコンピュータなどの情報処理機器を相互に接続してＬｏｃａｌ　Ａｒｅａ　Ｎｅｔｗｏｒｋ（以下ＬＡＮと称す）を構築する場合、それら情報処理機器は、例えば同軸ケーブルや光ケーブルなどの有線によって接続されることが多い。前記有線による各機器を接続する場合、煩雑な配線工事が必要であり、レイアウト変更毎に同工事を再度実施する必要があるなどの問題がある。また、近年は、ノートブック型やパームトップ型などのパーソナルコンピュータや電子手帳などの携帯型情報処理機器を簡単に相互接続してデータ伝送を行う要求が高まってきている。その際、前記各種の情報処理機器間でデータの送受信を行う場合には、伝送路の全部又は一部を前記有線と同じ通信速度、例えば、有線ＬＡＮで最も普及率の高いイーサネット（登録商標）ＬＡＮと同等の１０Ｍｂｐｓまたは１００Ｍｂｐｓで、イーサネットＬＡＮを無線化したいという要求が高まってきている。
【０００３】
このようなことから、本出願人は特許文献１において伝送媒体として光を用い、１０Ｍｂｐｓの伝送速度を実現する「光無線通信の戻り光打ち消し方法及びその装置」を開示している。この特許文献１に記載の技術は、天井に取り付けた親機と部屋内に設置された子機との間で光無線による全二重通信を実現するものであって、特に親機については受信信号から送信信号を減算することで反射光による悪影響の除去を可能とする方式が採用されている。すなわち、光無線通信では、自由空間へ光を送出し、かつ自由空間からの光を受信するようになされているため、例えば相手方の装置近傍に位置する物体によって、自己の送出した送信信号光が反射されるなどして受光手段に入力してしまい、相手方からの送信を正確に取り出すことができなくなるという問題があるが、特許文献１記載の技術では、送信信号の一部を分岐して、この信号のレベル及び位相を調節して受信信号に加えることにより、戻り光による信号をキャンセルするようにしている。
【０００４】
【特許文献１】
特開平８−５６１９８号公報（第３−７ページ、第１図）
【０００５】
ところが、伝送速度が、例えば１００Ｍｂｐｓとなる光無線通信を考えると、その信号は４Ｂ／５Ｂ変換などの必要性から１２５Ｍｂｐｓの伝送信号となり、この信号を位相の面で考えると１ビット長は８ｎｓで光が１ｍ進む時間は３．３ｎｓである。このことから、反射経路が１ｍ異なると（反射物までの距離にして５０ｃｍの差）、３６０＊３．３／８＝１４８．５度も異なる。つまり、このような反射物までの距離によって大きく位相がずれてしまう反射光を打ち消すには、振幅の調整だけでなく大幅に変化する位相についても逐次合わせ込む必要があり、極めて複雑な回路が必要となる。更に、これらの方法を駆使してもその打ち消しは限られた範囲内での精度向上しか望めない。したがって、１００Ｍｂｐｓのような高速伝送で１：Ｎの光無線通信装置を実現するには全二重通信方式ではなく半二重光無線通信方式を採用するのが賢明である。
【０００６】
これらのことから、本件出願人は、特願２０００−２３７２８６において１００Ｍｂｐｓの伝送を実現する「光無線通信装置及び光無線通信システム」を提案した。この方式は、親機１が光回線の使用状況を光回線空き報知信号として配下の子機に通知し、この信号を子機が検知して子機はフレーム送信毎に親機１との間で送信許可の申請処理（ＩＤ交換など）を行い、親機１からの送信許可を得てから子機が親機１に送信を開始するという、いわゆる半二重通信によって上述した反射光の問題を回避するものである。
【０００７】
つまり、図２に示すように、親機１は光回線が空いている時にはそのことを配下の子機３に報知するための光回線空き報知信号ＥＰ（ＩＤＬＥバースト）を子機３に対して送信する。子機３は、この親機１から送信されてくる報知信号をキャリアセンス回路を用いて検出し、この時、通信端末４から送信されてきたフレームＦ１があれば、光回線空き信号の受信後親機１に対して送信申請信号ＲＱを送信し、親機１からの許可信号ＡＫを受信した後に通信端末４から受信していたフレームＦ１を親機１に対して送信する。また、親機１は幹線２からフレームＦ２を受信し、子機３への光回線空報知信号ＥＰの送信を停止し、幹線２より受信したフレームＦ２を子機３に対して光送信する。
【０００８】
更にまた、同様に図３に示すように子機３ａから子機３ｂへフレーム１が送信されるときには、親機１が子機３ａから送信されるフレーム１を受信し終わったら、そのフレーム１を光回線側に折り返して送信する。また、図４に示すように子機３ａから光送信されたフレームＦ１が同一親機１の通信エリア内に存在する他の子機３ｂへ来るものであることが明確に判断できた場合には、親機１は、子機３ａから受け取ったフレームＦ１を、幹線２側へは送信せず、光回線側にのみ送信する。
【０００９】
一方で、図５に示すように親機１は、子機３から受け取ったフレームＦ１を幹線２側に送信しようとした際に、幹線２側からフレームＦ２−１が送信されてきた場合、親機１は、幹線２側を抑圧信号（ＤＭＹ）などによって一旦抑圧し、幹線２からの送信を一旦停止させ、自身の保持しているフレームＦ１の再送を行う。当然、この際にも幹線２側からのフレームＦ２−２が送信されてきて衝突が生じる場合には、前記したと同様に再度、幹線２側を抑圧し、もう一度フレームＦ１の送信を試みる。このように、親機１は、子機３から受け取ったフレームＦ１を幹線２へ送信するが、このとき、親機１は、子機３からの次のフレームがきた場合にメモリオーバーなどとならないようにするために、フレームの幹線２への送信が終わるまでの間子機３からの送信を受け付けないようにしている。この図の例では、この間の光回線空き信号ＥＰの送信を止めることで、子機３からの回線要求の発生を防止している。このような回線制御をすることで親機１の回路規模（メモリ）などを小規模にした、１：Ｎ（親機：子機）の光半二重通信システムを実現している。
【００１０】
【発明が解決しようとする課題】
しかしながら、このような方式では、子機が親機へフレームを送信する際に交わす半二重送信処理（送信申請、送信許可）や受信同期を取るための光プリアンブルなどを必要とするため、通信でのオーバーヘッドがあり、その通信性能を如何に発揮させるかが重要である。また、このようなシステムでは先に述べたように（図５）、親機１が子機３からのフレームを幹線２へ送信しているとき、光回線が空いているにもかかわらず、親機は子機３からの送信を受け取ることができない、つまり、子機３に送信が許される機会が少なくなってしまうと同時に、光送信できない子機は通信端末４側を抑圧するなどの手法によって送信を制御し、結果的に送信速度を低下することになる。
【００１１】
もちろん、親機および子機が十分な一時記憶装置（メモリ）を搭載できれば、そのようなケースの発生も少なくすることができるが、回路規模（スペース・消費電力）やコスト面を考えると、如何に小容量のメモリで実現するかが重要なことになる。そこで、必要最小限のメモリでシステムを実現するとなると、先述した親機１が幹線２を子機が通信端末４を抑圧するケースが多くなり、通信性能に悪影響を及ぼすことになる。また、本システムは光回線を用いることから、その光軸確認などにテストパケットなど独自のローカルフレームの送信を行う仕組みを搭載することも考えられ、複（多）数の子機がこのようなローカルフレームを本来の通信とは別に、光回線へ送信する場合があり、できる限り多くの子機発光機会があることが望ましい。
【００１２】
本発明では、必要最小限のメモリにおいて如何に子機の発光機会を確保し、効率的な光回線の利用を実現することで、より高速な通信が実現できる１対Ｎ型の半二重通信システムの実現を目的とする。
【００１３】
【課題を解決するための手段】
本発明に係る幹線に接続可能であり、且つ、通信端末に接続可能な半二重光無線通信子機との間で半二重光無線通信を行う半二重光無線通信親機は、
前記半二重光無線通信子機からの受信済みの送信フレームを前記幹線へ送信している間は、前記半二重光無線通信子機との間の光回線を開放することを示すフラッグを含む回線空き信号を前記半二重光無線通信子機に送信し、前記半二重光無線通信子機間通信の中継や前記半二重光無線通信子機の光回線リンクテスト信号の中継を少なくとも行う制御手段を備えることを特徴とする。
【００１４】
請求項１に記載の半二重光無線通信親機に対して通信を行う半二重光無線通信子機は、
前記半二重光無線通信親機から受信した回線空き信号に前記フラッグが含まれる場合に、前記半二重光無線通信親機を介しての少なくとも前記半二重光無線通信子機間の通信や光回線リンクテスト信号の送信に対しては、前記半二重光無線通信親機へ送信申請を行う制御手段を備えることを特徴とする。
【００１５】
更に、幹線と、半二重光無線通信親機と、半二重光無線通信子機との間で通信を行う半二重光無線通信システムであって、
前記半二重光無線通信親機は、前記幹線に接続可能であり、且つ、通信端末に接続可能な半二重光無線通信子機との間で半二重光無線通信を行う半二重光無線通信親機であって、前記半二重光無線通信子機からの受信済みの送信フレームを前記幹線へ送信している間は、前記半二重光無線通信子機との間の光回線を開放することを示すフラッグを含む回線空き信号を前記半二重光無線通信子機に送信し、前記半二重光無線通信子機間通信の中継や前記半二重光無線通信子機の光回線リンクテスト信号の中継を少なくとも行う制御手段を備えており、
前記半二重光無線通信子機は、前記半二重光無線通信親機に対して通信を行う半二重光無線通信子機であって、前記半二重光無線通信親機から受信した回線空き信号に前記フラッグが含まれる場合に、前記半二重光無線通信親機を介しての少なくとも前記半二重光無線通信子機間の通信や光回線リンクテスト信号の送信に対しては、前記半二重光無線通信親機へ送信申請を行う制御手段を備えていることを特徴とする半二重光無線通信システムである。
【００１６】
【発明の実施の形態】
以下、本発明の好ましい実施の形態につき、好ましい実施例を示す各図を参照しながら詳細に説明する。図１には、本発明の一実施の形態として光無線通信装置の主要部の概略構成を示す。本実施の形態の半二重光無線通信システム用親機及び子機３は、フレーム（パケット）送信によってデータを送受信するイーサネット（登録商標）（Ｅｔｈｅｒｎｅｔ（Ｒ））などの幹線系ネットワークに接続される装置であり、図１に示すように、ネットワーク幹線２と通信端末４（４ａ、４ｂ、４ｃ、例えば、パーソナルコンピュータ）との間を、光無線通信装置（以下、親機１とする）及び光無線通信装置（３ａ、３ｂ、３ｃ；以下、子機３とする）による半二重光無線通信を使用して接続するものである。なお、通信端末４には、パーソナルコンピュータなどの他に、ネットワークインターフェースカード（Ｎｅｔｗｏｒｋ　Ｉｎｔｅｒｆａｃｅ　Ｃａｒｄ：ＮＩＣ）やハブ（ＨＵＢ）などの中継機も含まれる。
【００１７】
図２には、図１で示すような幹線２につながる親機１と通信端末４に接続された子機３との間での基本的な信号送受信タイミングを示したものである。
図２では、通信端末４が発生したフレームＦ１を子機３から親機１に送信する場合、および幹線２から親機１に対して送信されてきたフレームＦ２を子機３へ送信する基本的タイミングを示している。先ず最初に、親機１は光回線が空いていることを知らせる光回線空き信号ＥＰを子機３に対して送信している（図中▲１▼で示す区間）子機３は、この親機１からの光回線空き信号を検出する。子機３は、通信端末４からＴ２のタイミングで送信されるフレームＦ１を受信し、Ｔ１で検出していた親機１からの光回線空き信号ＥＰの受信が終了し、、当該親機１に対して図中Ｔ３のように、光回線の使用を求める光回線送信申請信号ＲＱに光プリアンブル（光Ｐ）を付加して光送信する。
【００１８】
この光回線送信申請信号ＲＱを受け取った親機１は、光幹線の使用が可能であるとき、子機３に対して図中Ｔ４のように、光回線の使用を許可するための光回線送信許可信号ＡＫに光プリアンブル（光Ｐ）を付加して光送信し、子機３からフレームＦ１が送信されてくるのを待つ。子機３は、親機１から光回線送信許可信号ＡＫを受け取った場合に、通信端末４から受け取ったフレームＦ１を図中Ｔ５のように光プリアンブル（光Ｐ）を付加してフレームＦ１を当該親機１に対して光送信する。
【００１９】
このとき通信端末４からのフレームＦ１は、子機３によって一時的にＦＩＦＯなどの記憶装置に記憶され、送信申請処理を追えるまで遅延させられる。子機３からフレームＦ１を受信した親機１はこれを幹線２へ送信する（図中▲２▼で示す区間）。次に、幹線２からＴ９のタイミングでフレームＦ２を受信した親機１は、光プリアンブルを付加してＴ１０のタイミングで子機３へフレームＦ２を送信する。このフレームＦ２を受信した子機３は、Ｔ１１のタイミングにおいてフレームＦ２を通信端末４へ送信する（図中▲３▼で示す区間）
【００２０】
また、ここでは、説明を簡略化するために親機１が幹線２へフレームＦ１を送信する場合（Ｔ７）、および子機３が通信端末４へフレームＦ２を送信する場合（Ｔ１１）において親機１・幹線２間および子機３・通信端末４間での衝突がない場合について記載しているが、当然衝突が生じた場合には、親機１および子機３は、再送処理を行う（再送処理機能を持たない場合には、一旦フレームロスになり、上位層レベルの再送処理が行われる）。つまり、当然そのための記憶装置を親機１・子機３共に備えるものであり、再送能力（可能回数）はその記憶装置の容量に依存するものである。
【００２１】
更にまた、子機３が通信端末４からフレームＦ１を受け取り親機１へ送信申請が認められない（できない）場合などには通信端末４へ抑圧信号送出して通信端末４からの送信を停止させる。これは、通信端末４からのフレームを子機が記憶できるに十分の記憶装置を備えていない場合であり、子機が十分な記憶装置を備えている場合は、その記憶装置の容量が許す限り通信端末４を抑圧する必要はないことは言うまでも無いことである。
また、このシステムは、一つの親機１が複数の子機間での通信を中継する役割も持つものであり、そのような場合には、ある子機３から送信されたフレームが親機１によって光回線側へ折り返して送信されることになる。この様子を図３を用いて説明する。
【００２２】
図３は、通信端末４が発生したフレームＦ１を子機３から親機１に送信し、親機１が、そのフレームＦ１を幹線２および光回線側の子機３ｂへ折り返し送信をする場合の基本的タイミングを示す。先ずこの図において親機１は光回線が空いていることを知らせる光回線空き信号ＥＰを子機３に対して送信する（図中▲１▼で示す区間）。子機３は、この親機１からの光回線空き信号を検出する。子機３は、通信端末４からＴ２のタイミングで送信されるフレームＦ１を受信し、Ｔ１で検出していた親機１からの光回線空き信号ＥＰの受信が終了し、当該親機１に対して図中Ｔ３のように、光回線の使用を求める光回線送信申請信号ＲＱに光プリアンブル（光Ｐ）を付加して光送信する。この光回線送信申請信号ＲＱを受け取った親機１は、光幹線の使用が可能であるとき、子機３に対して図中Ｔ４のように、光回線の使用を許可するための光回線送信許可信号ＡＫに光プリアンブル（光Ｐ）を付加して光送信し、子機３からフレームＦ１が送信されてくるのを待つ。
【００２３】
子機３は、親機１から光回線送信許可信号ＡＫを受け取った場合に、通信端末４から受け取ったフレームＦ１を、図中Ｔ５のように光プリアンブル（光Ｐ）を付加して当該親機１に対して光送信する。このとき通信端末４からのフレームＦ１は子機３によって一時的にＦＩＦＯなどの記憶装置に記憶され、送信申請処理を追えるまで遅延させられる。子機３からフレームＦ１を受信した親機１はこれを幹線２へ送信する（図中▲２▼で示す区間）。このフレームＦ１を受け取った親機１は、このフレームＦ１を幹線２へ送信する。この際、親機１は、そのフレームＦ１のアドレス情報などからこのフレームＦ１が光回線側へも送信する必要があると判断した場合には、子機３ａからのフレームＦ１の受信終了後、このフレームＦ１をＴ８のタイミングにて折り返して光回線側へ送信する（当然、親機１には、この折り返し送信を行うためのメモリが必要である）。
【００２４】
親機１によって折り返し送信されたフレームＦ１は、その配下の子機３ａおよび子機３ｂによって受光される。このとき、子機３ａではこのフレームが廃棄され、子機３ｂにおいてはＴ９のタイミングでフレームＦ１を通信端末４ｂへ送信する（図中▲３▼で示す区間）。
さらに、子機３からの送信には、親機１が幹線２への送信の不要な、折り返し送信のみを必要とする、子機同士の通信（子機間通信）があり、これについては、図４で示す。
【００２５】
図４は、通信端末４が発生したフレームＦ１を子機３から親機１に送信し、親機１そのフレームＦ１を光回線側の子機３ｂへ折り返し送信がする場合の基本的タイミングを示している。先ずこの図において親機１は光回線が空いていることを知らせる光回線空き信号ＥＰを子機３に対して送信している（図中▲１▼で示す区間）。　子機３は、この親機１からの光回線空き信号を検出する。子機３は、通信端末４からＴ２のタイミングで送信されるフレームＦ１を受信し、Ｔ１で検出していた親機１からの光回線空き信号ＥＰの受信終了後、当該親機１に対して図中Ｔ３のように、光回線の使用を求める光回線送信申請信号ＲＱに光プリアンブル（光Ｐ）を付加して光送信する。
【００２６】
この光回線送信申請信号ＲＱを受け取った親機１は、光幹線の使用が可能であるとき、子機３に対して図中Ｔ４のように、光回線の使用を許可するための光回線送信許可信号ＡＫに光プリアンブル（光Ｐ）を付加して光送信し、子機３からフレームＦ１が送信されてくるのを待つ。子機３は、親機１から光回線送信許可信号ＡＫを受け取った場合に、通信端末４から受け取ったフレームＦ１を図中Ｔ５のように光プリアンブル（光Ｐ）を付加してフレームＦ１を当該親機１に対して光送信する。このとき通信端末４からのフレームＦ１は、子機３によって一時的にＦＩＦＯなどの記憶装置に記憶され、送信申請処理を追えるまで遅延させられる。子機３からフレームＦ１を受信した親機１はこれを幹線２へ送信する（図中▲２▼で示す区間）。
【００２７】
このフレームＦ１を受け取った親機１は、フレームＦ１の送り先をアドレス情報などを調べる。この場合は、光回線側への折り返し送信のみが必要と判断しており、折り返し送信タイミングが来るまで一旦メモリへ待機させ、折り返しタイミングが来た時点で親機１は、そのフレームＦ１をＴ８のタイミングにて折り返して光回線側へ送信する。親機１によって折り返し送信されたフレームＦ１は、その配下の子機３ａおよび子機３ｂによって受光される。このとき、子機３ａではこのフレームが廃棄され、子機３ｂにおいてはＴ９のタイミングでフレームＦ１を通信端末４ｂへ送信する（図中▲３▼で示す区間）。
【００２８】
また、ここでは、説明を省略しているが、このようなシステムでは基本手順で子機・親機間および親機を中継機とした子機間の通信が実現されているが、子機３から親機への送信申請などの手順を必要としているため、子機が親機１にフレームを送信するまでには大きな遅延が発生し、このため子機の一時記憶装置に余裕が無い場合では、通信端末４からの次フレームを受け取ることができない場合が発生し、子機が通信端末４側を抑圧して、通信端末４からの送信を適時制御する必要がある。また、このシステムは半二重通信を必要としているため、親機１が子機３からのフレームを折り返して光回線へ送信する場合などには、通信端末４からの次フレームを送信することができないため、回線が空くまで子機３は、通信端末４を抑圧しなくてはならない等の、通信性能を悪化させる要因を併せ持っている。このため、その通信性能を如何に効率的に確保するかが重要な課題であり、さまざまな工夫がされている。ここでは、その一つの工夫として、本システムがより有効に光回線を制御する装置を提供する。
【００２９】
本装置は、上記したように、子機が通信端末４からの送信を光回線へ送信できないときには通信端末４側を抑圧するが、当然、このような有線側を抑圧するケースは親機１においても発生する。すなわち、親機１が子機３から受け取ったフレームを幹線２へ送信する際に、幹線２からフレームが送信されて来た場合である。このようなケースを図５で示す。もちろん、親機１が十分なメモリを備えていればこのようなケースでも幹線２からの送信を受け取ることができるケースも多くなるであろうが、コスト面などを考えると少ないメモリで回線を管理できることが望まれる。
【００３０】
図５は、通信端末４が発生したフレームＦ１をＴ１〜Ｔ４で示した回線空き信号ＥＰ、送信申請ＲＱ、送信許可ＡＫの手順を踏み、子機３から親機１にＴ６のタイミングでフレームＦ１が送信され、親機１がこのフレームＦ１を幹線２へ送信しようとした場合に、幹線２からの送信が発生し、親機１が幹線２へ抑圧信号を送信する場合を示している。
【００３１】
この図は、通信端末４が発生したフレームＦ１をＴ１〜Ｔ４で示した回線空き信号ＥＰ、送信申請ＲＱ、送信許可ＡＫの手順を踏み、子機３から親機１にＴ６のタイミングでフレームＦ１が送信され、親機１によってそのフレームＦ１が光回線へ送信されようとしているときに幹線２からＴ８のタイミングでフレーム２−１が送信されてきたことにより、親機１はフレームＦ１の幹線２への送信を一旦止め、メモリへ一時的にフレームを待機させ、幹線２からの送信を抑圧するためにＴ７のタイミングで抑圧信号を幹線２へ送信しフレームＦ２−１の送信を停止させる。親機１は、幹線２からの送信が停止したことを見計らって再度フレームＦ１を送信しようと試みるが、ここでは、再びＴ１０のタイミングで幹線２からフレームＦ２−２が送信されてきたため、親機１はＴ９のタイミングで幹線２へ抑圧信号を送信している。
【００３２】
ここでは、更にもう一度、幹線２からのフレームＦ２−３を抑圧することになり、その後、ようやくＴ１３のタイミングで親機１は、フレームＦ１を幹線２へ送信する。当然、このような親機１と幹線２との間での抑圧・再送の連続発生回数はその都度異なり、１回の抑圧ですむ場合もあれば、１０数回に及ぶ場合もある。このように、親機１は、子機３からのフレームを幹線２へ送信するためには、幹線２からの送信状況にそのタイミングを大きく左右される。このため、必要最低限のメモリで親機１を実現するためには、親機１が、子機３が受け取ったフレームを幹線２へ送信するまでに、子機３からの次のフレームを受け取ってしまうと、親機１で送信が行き詰まることになる。
【００３３】
このため、親機１は、このような幹線２へのフレームを抱えている場合には、子機３からの送信を受けないようにしている。この図５の場合には、親機１がフレームＦ１を送信し終わるまで、子機３への光回線空き報知信号ＥＰの送信を停止している。もちろん、信号ＥＰを送信しておいて、子機３からの送信申請を無視する場合にも同等な動作になる。
しかし、前記したように、このような親機１と子機３の間で、送信手続きを必要とするシステムでは、その送信手続きなどが通信性能のオーバーヘットとして存在するために、より高性能な通信を実現するためには、如何に光回線を有効利用するかが重要である。本発明ではそのような観点から次の図６に示すように、親機１が幹線２への送信フレームを抱えている場合にも、特定の条件下での子機３からの送信を許可することで、光回線の有効利用を実現している。
【００３４】
図６のように、親機１は、子機３からの送信フレームＦ１を幹線２へ送信しようとしている時、光回線へ回線空き報知信号を送信することで、子機３からの送信を可能にし、子機間通信を実現する。
この図では、子機３ａが通信端末４ａからタイミングＴ２で受け取ったフレームＦ１をタイミングＴ１、Ｔ３およびＴ４での回線空き報知信号ＥＰ検出、送信申請ＲＱ送信、送信許可ＡＫ受信による親機１との間の送信手続きを経て、タイミングＴ６でフレームＦ１を親機１へ送信し、これを受けた親機１が、幹線２からの送信フレームＦ２−１〜Ｆ２−３をタイミングＴ７、Ｔ９、Ｔ１１で抑圧し、Ｔ１３のタイミングで幹線２へ送信している。このとき、親機１は、このフレームＦ１の送信待機中において光回線側へＴ１４のタイミングで光回線空き報知信号ＥＰを送信し始める。これにより、子機３ａは通信端末４ａから送信されてきているフレームＦ３を光送信するためにＴ１６、Ｔ１７のタイミングで親機１との間で送信申請、送信許可信号を取り交わし、Ｔ１９のタイミングでフレームＦ３を親機１へ光送信する。親機１は、受け取ったフレームＦ３をＴ２０のタイミングで光回線側へ折り返し送信し、フレームＦ３を子機３ｂへ送信している。
【００３５】
このように、本来、幹線２への送信待機中で、光回線の空の送信を受け付けるには十分な準備状態でない親機１が、あえてこの間の光回線を子機３へ開放することで、光回線のみを用いれば達成できるような子機間通信などを行えるようにすることで、回線のより効率的な利用を実現する。ここでは、光回線の利用のみで達成できる通信を子機間通信を例にあげているが、この様な、光を用いて高速伝送路を確保するシステムでは、親機１の発光部・受光部と子機の受光部・発光部との間で互に光軸が合っていないと相手の信号を正確に受信できない。
【００３６】
そのため、電源起動時や定期的に子機３は、親機１との間できちんと回線が確保されて（光軸が合って）いるかを確認するなどの作業をすることが望ましく、この様な光軸の確認などに、例えば、独自のテストパケットの送受信などを行う方法などがある。また、その他にもシステム独自の制御パケットなどを送受信する場合もあり、この様なシステム独自が使う制御フレームなども光回線のみを用いるものが多く、今回の発明によって回線の付加になることを抑えることが可能となる。
【００３７】
なお、図６の例では説明の煩雑さを避けるために、子機３ａからの送信フレームＦ３が子機３ｂへ送信される子機間通信フレームであることを前提に説明しているが、実際にはこの様に都合よく子機間のフレームが通信端末４ａから送信されて来るとは限らない。このため、実際には、この様に送信されてきたフレームが幹線２への送信が必要なものなのかどうかを判断する必要がある。そこで、この判断を加えた形での通信制御の例を簡単に以下に追記する。
【００３８】
この様な、子機３からの光送信が幹線２への送信を必要とするものなのか、あるいは、光回線のみを用いた送信でよいのかを判断し、回線を制御する方法にはいくつかの方法があり、そのすべてを述べることは非常に難しい。なぜなら、それは、親機や子機のもつメモリの大きさによって制御タイミングが大きく異なるからである。そこで、ここでは、親機、子機の持つメモリが比較的小さく、各ポートから受けたフレームはできる限り速やかに送信先のポートへ出力する必要がある場合で説明する。
【００３９】
この場合、大きく分けて二つの制御が考えられる。まず第一に、子機が光送信するフレームが光回線のみを使う送信なのか否かを子機が判断し、光回線のみが空いているときには、幹線２への出力が必要な送信は子機が自粛する制御方法と、第二としては、子機が送信する際の送信申請時に、これから送信するフレームが幹線２への送信が必要か否かを宣言して申請を行い、親機１がその申請に対して状況に応じて許可・否許可を行うことで回線を制御する場合が考えられる。ここで、上記二つの手法で共通している点は、子機が通信端末４からの送信に対してそのあて先が幹線２側か光回線側かを判断する必要がある点である。しかし、子機がそのことを通信端末４からのフレームだけから判断することは難しく、もし、子機だけで判断できるようにするには事前に、同一親機１のサービスエリア内に存在する子機３につながる機器のアドレスを知る必要がある。もちろん、事前に登録するという方法も考えられるがあまりスマートな方法とはいえない。
【００４０】
そこで、子機が送信したフレームに対して、親機１がそのフレームを折り返す場合に、幹線２への出力が不要であったものに対して、折り返し送信時にその情報を付加する事で、子機３は、そのとき送ったフレームの送り先アドレスとこの折り返し情報を関連付けて記憶することで、以降に通信端末４側からの送信フレームが幹線２側か光回線側かに送信されることが判断できる。また、前記した第一の方法では、子機が通信端末４からのフレームが何処に送信されるかを判断し、自身でその送信申請を行うかどうかを判断する仕組みである。このため、親機１から送信されてくる光回線空き報知信号ＥＰが何処への送信に対して許可が出るのかを（空いているのかを）、子機が判断できなくてはならない、すなわち、この手法では、通常のすべての送信に対して回線の空きを報知する信号と、光回線のみの送信に対して回線の空きを報知する信号とを異なる形で親機１は配下の子機３に送信する必要がある。
【００４１】
この手法には、ＩＤＬＥバースト信号のみを用いるなら、そのバースト長を変えたり、バースト信号時と無信号時の比率（デューティー比）を変えたりすることで子機３にその判断をさせることも可能である。あるいは、短いコマンドフレームを空き報知信号に使うことで、その識別コマンドを返すことで子機３にその判断をさせることが可能となる。一方、前記した第二手法の場合には、親機１が最終的に子機３からの送信を制御することから、回線空き報知信号は一種類で良いことになる。
【００４２】
次に、上述したような子機・親機間での半二重通信を実現する図１の光無線通信システムの親機１の具体的構成の一例を図７に示す。
図７に示す親機１において，制御手段１３は、当該親機１の全体の動作を制御すると共に、ネットワーク幹線２との間の通信制御、子機３との間の半二重光無線通信制御を行うものであり、幹線２および光側から受信したフレームの送信先などもこの部分で管理する。
また、当該親機１は、子機３との間で光による無線通信を行うための構成として、広範囲に光を出力し、各信号を光信号として送信するための光回線送信手段１９と、広範囲からの光を受光して光信号を電気的デジタル信号として受信する光回線受信手段１１を有する。光回線受信手段１１で受けた光信号は電気的デジタル信号として光回線フレーム受信手段８、光回線フレーム検出手段９、光回線送信申請信号検出手段１０へ入力される。
【００４３】
光回線フレーム受信手段では光回線受信手段１１から入力された信号を光回線フレーム検出手段９の検出結果に従い、幹線２へ送信するフレームを幹線２への送信タイミングまで確保し、制御手段１３の制御に従い出力信号切替手段６へ出力する。光回線フレーム検出手段９は、光回線受信手段１１からの入力信号からフレームを検出し、光回線フレーム受信手段８に受信フレームを指示する。
光回線送信申請信号検出手段１０は、光回線受信手段１１から入力された信号から任意の子機３から送信された光回線送信申請信号を検出し、そのことを制御手段１３へ送信し、検出した送信申請信号の情報（どの子機３からの申請か等を示すＩＤなど）を光回線送信許可発生信号手段３７へ伝送する。
光回線送信許可信号発生手段３７は、光回線送信申請信号検出手段１０によって検出及び抽出された申請情報（ＩＤなど）を用いて、送信申請信号を送ってきた子機３へ光回線送信許可信号を制御手段１３の指示に従って光送信信号切替手段１８へ送信する。
【００４４】
有線回線抑圧擬似信号発生手段７は、制御手段１３の指示に従い、幹線２からの信号を抑圧する必要が生じた際に抑圧擬似信号を発生し、有線出力信号切替手段６へ抑圧擬似信号を送信する。
有線出力信号切替手段６は、光回線フレーム受信手段８からのフレームと有線回線抑圧擬似信号発生手段７からの抑圧擬似信号とを受け、制御手段１３の指示に従い各信号を、随時、適切に切替て有線回線送信手段５へ送信する。
有線回線送信手段５は、有線出力信号切替手段６からの信号を幹線出力信号として幹線２へ出力する。
有線回線受信手段１４は、幹線２からのデータを受信し、受信したデータを有線回線フレーム検出手段１５および光回線送信タイミング遅延手段１６へ送信する。有線回線フレーム検出手段１５は、有線回線受信手段１４より送信されてきた受信データからフレームを検出し、制御手段１３へ検出結果を送信すると同時に、光回線送信タイミング遅延手段１６に対してもフレーム検出の結果を送信する。
【００４５】
光回線送信タイミング遅延手段１６は、有線回線受信手段１４から送信された信号から有線回線フレーム検出手段１５のフレーム検出結果を基に、フレームをＦＩＦＯなどの一時記憶装置に待機させ、制御手段１３の指示によって光回線送信タイミングにおいて待機させていたフレームを光回線出力切替手段１８へ送信する。
光プリアンブル生成手段は、制御手段１３の指示に従い、フレームの光送信時にフレームの前に同期信号として付加するプリアンブル信号を生成し、光回線出力切替手段１８に送信する。
光回線空き報知信号発生手段１２は、制御手段１３の指示に従い光回線が空いている際に、配下の子機３へ光回線が空いていることを知らせる光回線空き報知信号を発生し、光回線出力信号切替手段１８へ送信する。
【００４６】
光回線出力信号切替手段１８は光回線送信許可信号発生手段３７からの光回線送信許可信号、光回線回線空き報知信号発生手段１２からの光回線空き報知信号、光プリアンブル発生手段１７からの光プリアンブルそして光回線送信タイミング遅延手段からのフレームの各データを制御手段１３の適切な指示に随時従い、光回線送信手段１９へ切替て送信する。
光回線送信手段１９は光回線出力信号切替手段によって適切に切替出力されたデータを光信号として光回線へ送信する。
【００４７】
次に、図８に、上述したような子機・親機間で半二重光無線通信を行う図１の半二重光無線通信システムの子機３の具体的構成の一例を示す。
図８に示す子機３において，制御手段２７は、子機３の全体の動作を制御すると共に、通信端末４との間の通信制御、親機１との間の半二重光無線通信制御を行うものである。また、ここでは、自身の受信記憶装置の空き容量などを管理し、通信端末４からの送信フレームを受信できるかを判断しその判断に応じて通信端末４側への抑圧動作も制御している。
また、当該子機３は、親機１との間で光による無線通信を行うための構成として、狭い範囲に光を出力し、各信号を光信号として送信するための光回線送信手段２０と、親機１からの光を受光して光信号を電気的デジタル信号として受信する光回線受信手段２８を有する。有線回線受信手段２６は通信端末４からの信号を受信し光回線送信タイミング遅延手段２４、有線回線フレーム検出手段２５および有線回線無信号時間計測手段３６へ受信データを送信する。
【００４８】
有線回線無信号時間計測手段３６は、有線回線受信手段２６で受信された、有線回線フレーム検出手段２５で検出されたフレームを受信し終えてから有線回線からの信号が無信号（フレームが来ない）状態になっている間を計測し、その結果を制御手段２７へ送信する。
有線回線フレーム検出手段２５は、有線回線受信手段２６によって受信された通信端末４からの信号から光回線へ送出するフレームを検出し、その検出結果を制御手段２７へ送り、同様に検出結果を光回線送信タイミング遅延手段２４へ送信する。
光回線送信タイミング遅延手段２４は、有線回線受信手段２６で受信された信号から有線回線フレーム検出手段２５の検出結果に従い、フレームをＦＩＦＯなどの一時記憶装置に待機させ、制御手段２７の指示に従って待機させていたフレームを光回線出力信号切替手段２１へ送信する。
光回線送信申請信号発生手段２３は、制御手段２７の指示に従い、通信端末４からフレームが送信されて、親機１から光回線への送信許可を必要とする場合に、光回線送信申請信号を発生し、光回線出力信号切替手段２１へ光回線送信申請信号を送信する。
【００４９】
光プリアンブル発生手段２２は、制御手段２７の指示により、フレームの光送信の前に親機１の受信時の同期信号としてのプリアンブルを発生し、光回線出力切替手段２１へ光プリアンブルを送信する。
光回線出力信号切替手段２１は、光回線送信タイミング遅延手段２４からのフレーム、光回線送信申請信号発生手段２３からの光回線送信申請信号および光プリアンブル発生手段２２からの光プリアンブルの各信号を制御手段２７の適切な指示に随時従い、各々の信号を切替て光回線送信手段２０へ送信する。
光回線送信手段２０は、光送信のための発光部を備え、光回線出力信号切替手段２１から送信される各信号を親機１へ光信号として送信するものであり、制御手段２７によって発光および発光停止を制御できるものである。
光回線受信手段２８は、親機１から送信されて来る光信号を受信し、電気的信号としてキャリアセンス手段３８、光回線空き報知信号判断手段３０、光回線送信許可信号検出手段３１、光回線フレーム検出手段２９、有線回線送信タイミング遅延手段３２へ受信信号を送信する。
【００５０】
キャリアセンス手段３８は、光回線受光手段２８で親機１からの送信信号を電気信号として受け、その信号から親機１からの送信キャリアを検出し、光回線空き報知信号判断手段３０によって光回線空き報知信号の検出および選別を行い、その結果を制御手段２７へ送信する。
光回線送信許可信号検出手段３１は、光回線受信手段２８から送信されてきた受信信号から、親機１が当該子機３に対して光回線へのフレーム送信を許可する光回線送信許可信号を検出し、その結果を制御手段２７へ送信する。
光回線フレーム検出手段２９は、光回線受信手段２８から送信される受信信号から親機１が送信した光送信フレームを検出し、その結果を制御手段２７へ送信すると同時に、有線回線送信タイミング遅延手段３２へ送り、フレームの一時待機を支持する。
有線回線送信タイミング遅延手段３２は、光回線受信手段２８から送信された受信信号から、光回線フレーム検出手段２９のフレーム検出結果に従い、検出したフレームをＦＩＦＯなどの一時記憶装置に一旦待機させ、制御手段２７の通信端末４への送信指示に従って有線出力信号切替手段３４へ待機させていたフレームを送信する。
【００５１】
有線回線抑圧擬似信号発生手段３３は、制御手段２７の適切な指示に従って、有線接続された通信端末４からの送信の抑圧を必要とした場合に、抑圧擬似信号を発生し、有線出力信号切替手段３４へ抑圧擬似信号を送信する。
有線出力信号切替手段３４は、有線回線送信タイミング遅延手段３２からのフレーム信号および有線回線抑圧擬似信号発生手段からの抑圧擬似信号とを受け、制御手段２７の指示に随時従い、これらのフレーム信号と抑圧信号を随時切替、有線回線送信手段３５へ送信する。
有線回線送信手段３５は、有線回線出力信号切替手段３５より送信される信号を通信端末４側有線回線へ送信する。
【００５２】
次に、上述した図７の構成の親機１および図８の構成の子機３において、前記図２〜図６の送受信タイミングイメージで説明したような通信手順を実現する場合の処理の流れを説明する。
先ず、図９では、ネットワーク幹線２を介して送信されてきたフレームを親機１が受信し、このフレームを配下の子機３に送信するまでの、親機１における処理の流れ（主に制御手段１３の制御動作の流れ）を示す。
図９において、先ず、親機１の制御手段１３は、ステップＳ１の処理として、子機３との間で光通信が行われているか否かを監視し、光回線が使われていないときに光回線空き報知信号を配下の子機１に向けて光送信する。次に、ステップＳ２で幹線２からの信号を監視し、幹線２からフレームが送信されてこなければ、光送信制御状態としては、幹線２からのフレーム待ちとなり、幹線２からフレームを受信した場合には、次のステップ４６においてそのフレームを光側へ送信する必要があるかを判断する。この判定で、光側へ送信する必要があれば、次ステップＳ３へ移り、幹線２から受け取ったフレームを光回線へ出力できるか否か、光回線の状態をチェックする。
【００５３】
もし、光回線が子機１などによって利用されている場合には、ステップＳ８へ進み、幹線２へ抑圧信号を送信しステップＳ９で幹線２からのフレーム送信の停止を確認し、ステップＳ１０で抑圧信号を停止し、改めてステップＳ２において幹線２からのフレームが受信されるまで待機する。もし、ステップＳ３において光回線が空いていれば、ステップＳ４に進み幹線２からのフレームをＦＩＦＯなどの一時記憶装置へ光回線送信タイミングまで待機さておき、次のステップＳ５で子機１へ送出していた光回線空き報知信号を停止し、ステップ６でフレーム送信の前に子機が受信時に同期を取るための光プリアンブルを送信し、これに続いてステップ５で一時待機させていたフレームをステップ７で光送信する。フレームを送信し終えたら、ステップＳ４５で子機３へ光回線が空いたことを知らせるために、光回線空き報知信号を送出し、再びステップＳ２で幹線２からのフレーム受信を待機する。
【００５４】
次に、図１０には配下の子機１から光送信申請があり、それを親機１が許可して子機３から光送信され送信されてきたフレームを親機１が受信し、このフレームをネットワーク幹線２へ送信するまでの、親機１における処理の流れ（主に制御手段１３の制御動作の流れ）を示す。
図１０において、ステップＳ１１の処理として、子機３からの光回線送信申請信号があるか否かを光回線送信申請信号検出手段１０の検出結果を基に監視し、もし、子機３からの送信申請信号があれば、ステップＳ１２へ進み光回線空き報知信号を停止し、ステップＳ１３へ進み子機３から受け取った送信信号の子機識別情報（ＩＤなど）を組み込んだ光回線送信許可信号を光プリアンブルを付加して光回線へ送信する。送信許可信号を送出し、ステップＳ１４において子機３からのフレーム光送信を待ち、ある一定時間内にフレームが来ない場合には、ステップＳ１６でタイムアウトし、ステップＳ１７で幹線２からのフレーム送信がないのを確認して、再び光回線を配下の子機３へ開放するためステップＳ１８で光回線空き報知信号を送出する。
【００５５】
もし、ステップＳ１７で幹線２からフレームがきている場合には、ステップＳ１９で光プリアンブルを付加して光送信する。ここでは、幹線２からのフレームの光送信をステップＳ１７およびステップＳ１９で簡単に表現しているが、この幹線２からのフレームの光送信フローは先に説明した図９のフローによって動作する。さて、ステップＳ１４において子機３からフレームを光受信できた場合には、ステップＳ４７において光受信したフレームを一時記憶装置に一旦記憶し、ステップＳ５６でこのフレームを幹線２へ送信する必要がある場合には、ステップＳ１５においてこの受信フレームをタイミングを見計らって幹線２へ送信する。
【００５６】
次に、ステップＳ４８においてこの受信されたフレームが、光回線への折り返し送信が必要かどうかを判断し、必要なければ再びステップＳ１４において次フレームを待機する。もし、ステップＳ５６で子機３から受け取ったフレームを幹線２へ送信する必要が無かった場合には、ステップＳ５７でフレームに子機間通信であることを認識するフラグを付加し、以降のステップＳ４９、ステップ５０で光回線へ折り返し送信する。また、ステップＳ４８において折り返し送信が必要と判断された場合には、次のステップＳ４９において子機３からの送信フレームの受信が終了されたかを判断（待機）し、受信終了後、ステップＳ５０によって子機３からのフレームを折り返し送信する。
【００５７】
次に、子機３の動作を図１１および図１２を用いて説明する。まず、図１１には親機１から送信されてきたフレームを子機３が受信し、このフレームを有線回線で接続された通信端末４へ送信するまでの、子機３における処理の流れ（主に制御手段２７の制御動作の流れ）を示す。
図１１では、先ず、ステップＳ２０において親機１からフレームが送出されてきていないか否かを監視し、もし親機１からの光送信フレームがあればステップＳ５１において自身の送信したフレームの折り返しフレームかどうかを判断する。もし、折り返しフレームでなければ、ステップＳ２１において、一旦、ＦＩＦＯ等の一時記憶装置に光受信したフレームを確保しておき、次に、ステップＳ２２において有線回線に通信端末４からのフレームが来ていないかを確認し、もし通信端末４からフレームが送信されてきていればステップＳ２５に移り、一旦、通信端末４からのフレーム送信を抑圧するために抑圧擬似信号を有線側に送出する。
【００５８】
その後、ステップＳ２２に戻り有線回線が空き、ステップＳ２３でもしこの時、抑圧擬似信号を送出中ならこのステップでそれを停止し、次ステップＳ２４でフレームを有線回線へ送出し通信端末４への送信を行う。また、もしステップＳ５１で親機１からの受信フレームが自身の送信したフレームの折り返しフレームと判定された場合には、ステップＳ５８でそのフレームのあて先アドレスを折り返しフレームアドレスとして記録し、ステップＳ２２に移り、有線回線側の監視にはいる。
【００５９】
図１２には、子機３において、通信端末４から送信されてきたフレームを子機３が光回線を通して親機１へ送信するまでの、子機３における処理の流れ（主に制御手段２７の制御動作の流れ）を示す。
この図では、ステップＳ２６において通信端末４からのフレームの送信があるかを監視・待機し、もしフレームが送信されてきていればステップＳ５６において自身が前フレームを送信中（メモリが空いている）かを判断し、前フレームの送信中であればステップＳ５７によって子機３は、通信端末４へ抑圧信号を送信し始める。そして、ステップＳ５８で光送信中のフレーム送信が終了するまで待機し、光送信終了になれば、ステップＳ５９によって通信端末４側への抑圧信号を停止し、再びステップＳ２６で通信端末４からのフレーム送信を待機する。
【００６０】
ステップＳ５６で子機が前フレームを送信中で無ければステップ２７によって、一時記録装置へ保存する。通信端末４からフレームを受け取った子機３は、ステップＳ２８によって光回線の空きを親機１の光回線空き報知信号の検出を行う。子機３は、通信端末４からフレームを受け取ってから一定の時間内に光回線空き報知信号を検出できない場合には、ステップＳ３５でタイムアウトし、ステップＳ３７によって、子機３は、通信端末４側へ抑圧信号を送信し、ステップＳ３８で通信端末４から送信されていたフレームの停止を確認して通信端末４への抑圧信号を停止する。
【００６１】
一方、ステップＳ２８で規定の期間内に光回線の空きを検出できた場合は、ステップＳ６０でこのときの通信端末４からのフレームの送信先が同じ場合には、親機１の配下に設置された他の子機３に対する通信（子機間通信）を示しているかを判定し、もし子機間通信フレームであるならステップＳ６１で親機への送信申請信号にそのことを示すフラグを付加してステップＳ２９へ進む、もし、ステップＳ６０の判定でフレームの送信先が親機１から幹線２側への送信が必要と判定されたなら、ステップＳ２９へ移る。ステップＳ２９で子機３は、親機１に対して光回線への送信申請信号を送信し、ステップＳ３０で親機１からの送信許可信号を待つ。
【００６２】
ここで、もし、親機１からの許可信号が一定時間内に得られない場合には、ステップＳ３６でタイムアウトしてステップＳ３７、ステップＳ３８、ステップＳ３９によって通信端末４へ抑圧信号を送信する。ステップＳ３０において、無事、親機１から送信許可が得られた場合には、ステップＳ３１で同期用のプリアンブルを送信し、これに続いてステップＳ３２で一時待機させていたフレームを光回線へ送信し、ステップＳ２６で同時に通信端末４側からのフレームを監視する。
【００６３】
【発明の効果】
以上述べたように、親機１が光回線の空き状態を管理し、子機３へその空きを報知し、子機が光送信する際には親機１との間での送信手続きを必要とし、親機１が複数の子機との間でデータ通信する半二重光送信システムにおいて、親機１が幹線２へのフレームを抱えてしまっているとき、親機１は子機３に対して光回線の使用を子機間通信に対して開放することで、効率的な回線制御が実現され、より高性能な１：Ｎ型光無線通信装置が実現可能となる。
【図面の簡単な説明】
【図１】本発明に係る半二重光無線通信システムの親機１及び子機３の一実施形態の概略を示すブロック図である。
【図２】図１において、子機３から親機１にフレーム送信する際の基本通信タイミングを説明する図である。
【図３】図１において、幹線側へ送信する際に、折り返しフレームがある場合の基本通信タイミングをイメージを説明する図である。
【図４】図１において、子機３から親機１にフレーム送信する際に、折り返しフレームがある場合の基本通信タイミングを説明する図である。
【図５】図１において、幹線側送信時の衝突再送の基本通信タイミングを説明する図である。
【図６】図１において、親機から幹線へ送信中の光回線利用タイミングを説明する図である。
【図７】図１の親機１を詳しく示すブロック図である。
【図８】図１の子機３を詳しく示すブロック図である。
【図９】図１の親機１の光フレーム送信及び光回線空き報知信号送信を説明するためのフローチャートである。
【図１０】図１の子機３の光フレーム受信及びその受信手順を説明するためのフローチャートである。
【図１１】図１の子機３の光フレーム受信及び有線送信を説明するためのフローチャートである。
【図１２】図１の子機３の光フレーム送信及びその送信手順を説明するためのフローチャートである。
【符号の説明】
１　　親機
３ａ、３ｂ、３ｃ　子機
４ａ、４ｂ、４ｃ　通信端末
７　　抑圧疑似信号発生手段
１３　親機の制御手段
１６　光回線送信タイミング遅延手段
１８　光回線出力信号切替手段
【図１】
2004120500.tif 000003
【図２】
2004120500.tif 000004
【図３】
2004120500.tif 000005
【図４】
2004120500.tif 000006
【図５】
2004120500.tif 000007
【図６】
2004120500.tif 000008
【図７】
2004120500.tif 000009
【図８】
2004120500.tif 000010
【図９】
2004120500.tif 000011
【図１０】
2004120500.tif 000012
【図１１】
2004120500.tif 000013
【図１２】
2004120500.tif 000014